【手続補正書】
【提出日】平成18年9月20日(2006.9.20)
【手続補正１】
【補正対象書類名】明細書
【補正対象項目名】請求項１４
【補正方法】変更
【補正の内容】
【請求項１４】  一の前記インバータのスイッチング制御を行うスイッチング制御回路
を更に備え、
前記複数の端子は、
前記スイッチング制御回路の短絡検出端に接続された短絡検出端子と、
前記スイッチング制御回路の接地端に接続された接地端子と
を更に有し、
前記短絡検出端子と前記接地端子とは隣接して配置される、請求項１３記載のインバータモジュール。
【手続補正２】
【補正対象書類名】明細書
【補正対象項目名】０００２
【補正方法】変更
【補正の内容】
【０００２】
【従来の技術】
図２４は従来のインバータ駆動用パワーモジュール（以下、単に「インバータモジュール」と称す）５０１の構成を例示する回路図である。インバータを構成する６個の絶縁ゲート型バイポーラトランジスタ（以下、単に「トランジスタ」と称す）と、スイッチング制御回路ＨＶＩＣ１，ＨＶＩＣ２，ＨＶＩＣ３，ＬＶＩＣとを備えている。６個の絶縁ゲート型バイポーラトランジスタのうち、ハイアーム側の３個のスイッチングがスイッチング制御回路ＨＶＩＣ１，ＨＶＩＣ２，ＨＶＩＣ３の制御によってされ、ローアーム側の３個のスイッチングがスイッチング制御回路ＬＶＩＣによって制御される。
【手続補正３】
【補正対象書類名】明細書
【補正対象項目名】０００３
【補正方法】変更
【補正の内容】
【０００３】
図２５はインバータモジュール５０１のピン配置を示す外形図である。図２５において示されたピン名称は、図２４に示された端子の名称と対応している。一側にはピン５０２ｄ，５０２ｆが、他側にはピン５０２ｂが、それぞれ配置されている。ピン５０２ｄは図示されない制御回路に接続され、ピン５０２ｂは図示されない負荷及び電源に接続される。ピン５０２ｆは制御回路にも負荷にも電源にも接続される必要がなく、インバータ駆動用パワーモジュール内の接続の中継として機能する。このような構成は例えば特開２０００−１３８３４３において紹介されている。
【手続補正４】
【補正対象書類名】明細書
【補正対象項目名】００２２
【補正方法】変更
【補正の内容】
【００２２】
この発明のうち請求項１４にかかるものは、請求項１３記載のインバータモジュールであって、一の前記インバータのスイッチング制御を行うスイッチング制御回路を更に備える。そして前記複数の端子は、前記スイッチング制御回路の短絡検出端に接続された短絡検出端子と、前記スイッチング制御回路の接地端に接続された接地端子とを更に有する。前記短絡検出端子と前記接地端子とは隣接して配置される。
【手続補正５】
【補正対象書類名】明細書
【補正対象項目名】００２８
【補正方法】変更
【補正の内容】
【００２８】
スイッチング制御回路ＩＣRは更に、高電位側制御入力端ＰＩＮと、低電位側制御入力端ＮＩＮとをも有している。高電位側制御入力端ＰＩＮに与えられる論理信号は、高電位側制御端ＨＯに与えられる電位に対応する論理を決定する。低電位側制御入力端ＮＩＮに与えられる論理信号は、低電位側制御端ＬＯに与えられる電位に対応する論理を決定する。
【手続補正６】
【補正対象書類名】明細書
【補正対象項目名】００３６
【補正方法】変更
【補正の内容】
【００３６】
図３はトランジスタＱRT、フリーホイールダイオードＤRT近傍の構成を示す平面図である。トランジスタＱRTのコレクタとフリーホイールダイオードＤRTのカソードとはいずれも金属板ＫRTに載置される。トランジスタＱRTのエミッタ及びベースはコレクタに関して金属板ＫRTと反対側に設けられ、エミッタはゲートを囲むＬ字形状を呈している。またフリーホイールダイオードＤRTのアノードはカソードに関して金属板ＫRTと反対側に設けられる。金属板ＫRTの屈曲する角は、平面図たる図３において直線Ｋ１，Ｋ２として現れる。
【手続補正７】
【補正対象書類名】明細書
【補正対象項目名】００３８
【補正方法】変更
【補正の内容】
【００３８】
スイッチング制御回路ＩＣRにおいて、ブートストラップ入力端ＶB、負荷側出力端ＶS、高電位側制御端ＨＯはガードリングＧで囲まれた高電位島に配置されている。トランジスタＱRPが導通した場合には負荷側出力端ＶSが高電位側インバータ電源端子Ｐとほぼ同電位となり、ブートストラップ入力端ＶBのみならず高電位側制御端ＨＯも数百ボルト程度の高電位となるからである。
【手続補正８】
【補正対象書類名】明細書
【補正対象項目名】００４７
【補正方法】変更
【補正の内容】
【００４７】
リード１０１R，１０２R，１０８R，１０９Rは、それぞれアルミ線１３１R，１３２R，１３３R，１３４Rによってリード１２１を越えて、それぞれトランジスタＱRPのエミッタ及びベース並びにトランジスタＱRNのエミッタ及びゲートに接続される。
【手続補正９】
【補正対象書類名】明細書
【補正対象項目名】００４９
【補正方法】変更
【補正の内容】
【００４９】
リード１２３は高電位側インバータ電源端子Ｐとして機能し、リード１０８Rは低電位側インバータ電源端子ＮRとして機能する。リード１０１Rは負荷側出力端子ＶRFSとして、リード１０３Rはブートストラップ入力端子ＶRFBとして、リード１０４Rは高電位側制御入力端子ＲPとして、リード１０５U，１０６Uは接地端子ＶCUとして、リード１０５V，１０６Vは接地端子ＶCVとして、リード１０５W，１２２は接地端子ＶCWとして、１０７Rは低電位側制御入力端子ＲNとして、リード１１０Rは短絡検出端子ＣＩRとして、リード１０６Wはエラー検出端子Ｆとして、リード１２１は動作電源端子ＶN1として、それぞれ機能する。
【手続補正１０】
【補正対象書類名】明細書
【補正対象項目名】００５３
【補正方法】変更
【補正の内容】
【００５３】
リードの中には金属板ＫRTと同様に、樹脂パッケージＰＫＧの近傍で切断されるものがある。スイッチング制御回路ＩＣRの高電位側制御端ＨＯ及び低電位側制御端ＬＯは、インバータモジュール１の内部（図１参照）において必要である。しかし、図２に示されるように、インバータモジュール１の外部に取り出す必要はない。従って、これらの端ＨＯ，ＬＯに接続されたリード１０２R，１０９Rは樹脂パッケージＰＫＧの近傍で切断される。また、動作電源端子ＶN1として機能するリード１２１の一方は外部に引き出す必要がなく、ここではリード１２３に隣接する方のリード１２１が樹脂パッケージＰＫＧの近傍で切断される。また、接地端ＧＮＤ，ＣＯＭはインバータモジュール１内で共通に接続されるので、リード１０５Rも樹脂パッケージＰＫＧの近傍で切断される。但し、リード１０６U，１０６V，１２２は引き出されて延在する。
【手続補正１１】
【補正対象書類名】明細書
【補正対象項目名】００５９
【補正方法】変更
【補正の内容】
【００５９】
具体的には、リード１０４Rは方向Ｚに屈曲して延在して第１条件を満足している。またリード１０７Rはリード１０１Rと距離４ｅ以上離れて配置され、第２条件を満足している。リード１０７U，１０１Vの間には、リード１０９Uが介在している。またリード１０７V，１０１Wの間には、リード１０９Vが介在している。このようにして第２条件を満足する端子の配置が実現されている。
【手続補正１２】
【補正対象書類名】明細書
【補正対象項目名】００６０
【補正方法】変更
【補正の内容】
【００６０】
リード１０２Rはスイッチング制御回路ＩＣRの高電位側制御端ＨＯに接続されており、印加される電圧は高い。しかしリード１０２Rの先端は短く切断されている。従ってインバータモジュール１が実装される基板において、リード１０７Rについての沿面距離は確保される。
【手続補正１３】
【補正対象書類名】明細書
【補正対象項目名】００６３
【補正方法】変更
【補正の内容】
【００６３】
具体的には、リード１０３Rは方向Ｙに屈曲して延在し、リード１０４Rは方向Ｚに屈曲して延在し、第３条件を満足している。またリード１０７Rはリード１０３Rと距離４ｅ以上離れて配置され、第４条件を満足している。リード１０３R，１０７Rの間には、その先端が短く切断されたリード１０５Rが介在している。このようにして第４条件を満足する端子の配置が実現されている。
【手続補正１４】
【補正対象書類名】明細書
【補正対象項目名】００７０
【補正方法】変更
【補正の内容】
【００７０】
図１２は本発明の実施の形態２にかかる半導体装置であるインバータモジュール２の内部構成の一部を示す平面図である。本実施の形態において図５及び図１２は仮想線Ｊ１Ｊ１において結合する。即ち図５及び図１２は相まって、インバータモジュール２の内部構成を示す。図１３に図５と図１２とが結合する態様を示す。また、図１４は図１２の方向１４から見たピン配置を示した側面図であり、樹脂パッケージＰＫＧから端子として引き出されて延在するリードについては二重丸を、樹脂パッケージＰＫＧの近傍で切断されたリードについては通常の丸印を、それぞれ用いて図示している。
【手続補正１５】
【補正対象書類名】明細書
【補正対象項目名】００７７
【補正方法】変更
【補正の内容】
【００７７】
図１６はインバータモジュール３を用いて三相の誘導性負荷３０を駆動する駆動回路を示す回路図である。図２に示された回路図において、短絡検出端子ＣＩU，ＣＩV，ＣＩWを一つの短絡検出端子ＣＩに置換し、接地端子ＶCU，ＶCV，ＶCWを一つの接地端子ＶNCに纏め、低電位側インバータ電源端子ＮU，ＮV，ＮWを接地端子Ｎに纏め、動作電源端子ＶＮ１を動作電源端子ＶNU，ＶNV，ＶNWに分けた構成を有している。
【手続補正１６】
【補正対象書類名】明細書
【補正対象項目名】００８２
【補正方法】変更
【補正の内容】
【００８２】
インバータモジュール３は、リード２０１R〜２０８R，２０９，２１０，２１１R，２２１，２２２と、金属板ＫRTと、アルミ配線２３０，２３１R〜２３４R，２４１R〜２４３R，２５０，２５１と、スイッチング制御回路ＩＣRと、スイッチング制御回路ＩＣRと上記リードとを接続する金線とを備え、樹脂パッケージＰＫＧによって封止されている。金属板ＫRT、リード２０１R〜２０８R，２０９，２１０，２１１R，２２１，２２２は、これらが一体であったリードフレーム（図示されない）から切り出されて形成される。
【手続補正１７】
【補正対象書類名】明細書
【補正対象項目名】００８４
【補正方法】変更
【補正の内容】
【００８４】
リード２０５U、２０５V，２０５Wはそれぞれの上にスイッチング制御回路ＩＣU，ＩＣV，ＩＣWを載置し、かついずれもリード２１０と一体に形成されている。
【手続補正１８】
【補正対象書類名】明細書
【補正対象項目名】００８８
【補正方法】変更
【補正の内容】
【００８８】
リード２０１R，２１１R，２０７Rは、それぞれアルミ線２３１R，２３２R，２３４Rによってリード２２２を越えて、それぞれトランジスタＱRPのエミッタ及びゲート並びにトランジスタＱRNのゲートに接続される。リード２２２は、それぞれアルミ線２３３U，２３３V，２３３Wを介して、トランジスタＱRNのエミッタに接続される。
【手続補正１９】
【補正対象書類名】明細書
【補正対象項目名】００９４
【補正方法】変更
【補正の内容】
【００９４】
但し、リードの中には金属板ＫRTと同様に、樹脂パッケージＰＫＧの近傍で切断されるものがある。スイッチング制御回路ＩＣRの高電位側制御端ＨＯ及び低電位側制御端ＬＯは、インバータモジュール３の内部（図１５参照）において必要である。しかし、図１６に示されるように、インバータモジュール３の外部に取り出す必要はない。従って、これらの端ＨＯ，ＬＯに接続されたリード２１１R，２０７Rは樹脂パッケージＰＫＧの近傍で切断される。また、接地端子Ｎとして機能するリード２２２の一方は外部に引き出す必要がなく、ここではリード２０１Uに隣接する方のリード２２２が樹脂パッケージＰＫＧの近傍で切断される。
【手続補正２０】
【補正対象書類名】明細書
【補正対象項目名】０１００
【補正方法】変更
【補正の内容】
【０１００】
また、ブートストラップ入力端子ＶRFBとして機能するリード２０３Rは方向Ｙまたは方向Ｚへと屈曲して延在させる。そして高電位側制御入力端子ＲPとして機能するリード２０２R及び低電位側制御入力端子ＲNとして機能するリード２０４Rのいずれもが、リード２０３Rとは反対方向Ｚまたは方向Ｙに屈曲して延在する（第３条件）ことを満足する。従って複数の端子の先端が接続される基板において、大きな電圧がかかる位置の間での沿面距離を稼ぐことができる。またインバータモジュールの小型化を図り易い。
【手続補正２１】
【補正対象書類名】明細書
【補正対象項目名】０１０１
【補正方法】変更
【補正の内容】
【０１０１】
更に、負荷３０と接続されるべき負荷側出力端子ＶRFSとして機能する、リード２０１Rは全ての相において方向Ｙへと屈曲して延在しているので、インバータモジュール３が実装される基板において、これらと負荷３０との接続のための配線の敷設が容易となる。
【手続補正２２】
【補正対象書類名】明細書
【補正対象項目名】０１１０
【補正方法】変更
【補正の内容】
【０１１０】
この発明のうち請求項１０及び請求項１１にかかるインバータモジュールによれば、低電位側制御入力端子と負荷側出力端子との間の距離を端子ピッチの３倍以上とることができる。しかも高電位側制御出力端子の先端は短く切断されているので、インバータモジュールが実装される基板において、低電位側制御入力端子についての沿面距離は確保される。
【手続補正２３】
【補正対象書類名】図面
【補正対象項目名】図３
【補正方法】変更
【補正の内容】
【図３】
2003018862.tif 000001
【手続補正２４】
【補正対象書類名】図面
【補正対象項目名】図１２
【補正方法】変更
【補正の内容】
【図１２】
2003018862.tif 000002
【手続補正２５】
【補正対象書類名】図面
【補正対象項目名】図２４
【補正方法】変更
【補正の内容】
【図２４】
2003018862.tif 000003